(57)【要約】【課題】超高真空範囲にまで及ぶ真空を発生させることができる簡単に構成されるポンプを提供する。【解決手段】ウォータジェット型のポンプ（２）が、超高真空を発生させるためのシステム（１）の一部である。このポンプ（２）は、イオン流体（Ｆ）によって高速にて通流される少なくとも１つのポンプ室（１１）を含む。ポンプ室（１１）は流体（Ｆ）のためにノズル開口（３ａ）を備えたノズル（３）で終端している第１の入口通路（３）と、流体出口通路（５）とを有する。ポンプ室（１１）の第２の第２の入口通路（４）が、真空にすべき高真空室（１０）に接続されている。この高真空室（１０）から第２の入口通路（４）を介して通流する流体噴流によりガスが吸い込まれ、流体噴流と一緒にガスがポンプ室（１１）から排出される。【選択図】図１
2011527397.tif 000002
【特許請求の範囲】
【請求項１】
流体（Ｆ）によって１つの流れ方向（ｓ）に通流可能なポンプ室（１１）を有する、高真空、特に超高真空を発生させるためのウォータジェット型のポンプ（２）であって、前記ポンプ室（１１）が、
ポンプ室（１１）内に突出しかつノズル開口（３ａ）において終端している流体（Ｆ）用の少なくとも１つの第１の入口通路（３）と、
流れ方向（ｓ）に見てノズル開口（３ａ）の向かい側に配置されている流体（Ｆ）用の少なくとも１つの出口通路（５）と、
ポンプ室（１１）に開口しかつ被真空空間（１０）に接続されるべき少なくとも１つの第２の入口通路（４）と、
を備え、
流体（Ｆ）としてイオン流体が使用されることを特徴とするポンプ。
【請求項２】
第１の入口通路（３）において予め定められた速度及び／又は予め定められた圧力を有するイオン流体（Ｆ）を移送するための手段が設けられていることを特徴とする請求項１記載のポンプ。
【請求項３】
前記手段として少なくとも１つの移送ポンプ（６）が設けられていることを特徴とする請求項２記載のポンプ。
【請求項４】
ポンプ（２）が閉じられた流体循環路（９）に接続されていて、この流体循環路（９）が、少なくとも１つの第１の流体入口通路（３）内において流体圧を発生させるための移送ポンプ（６）と、ガス排出のための逆止弁（８）を有する貯蔵タンク（７）とを含み、貯蔵タンク（７）が少なくとも１つの流体出口通路（５）と移送ポンプ（６）とに接続されていることを特徴とする請求項３の記載のポンプ。
【請求項５】
イオン流体（Ｆ）が、液体、又は、液体−ガス混合物であることを特徴とする請求項１乃至４の１つに記載のポンプ。
【請求項６】
被真空空間（１０）の圧力が、使用されるイオン液体、特にイオン液体の蒸気圧に依存することを特徴とする請求項５記載のポンプ。
【請求項７】
イオン流体（Ｆ）が、硫酸イオン、硫酸水素イオン、アルキル硫酸イオン、チオシアン酸イオン、リン酸イオン、ホウ酸イオン、テトラキスハイドロジェンスルファトボレートイオン又はケイ酸イオンを含有することを特徴とする請求項１乃至６の１つに記載のポンプ。
【請求項８】
被真空空間（１０）が、少なくとも１つの入口通路（４）と超高真空室（１０）との間におけるガス交換のための超高真空室（１０）であることを特徴とする請求項１乃至７の１つに記載のポンプ。
【請求項９】
超高真空室（１０）において、１０-7〜１０-12ｍｂａｒの圧力範囲にある超高真空が発生可能であることを特徴とする請求項１乃至８の１つに記載のポンプ。
【請求項１０】
少なくとも１つの第１の流体入口通路（３）及び／又は少なくとも１つの第２の入口通路（４）及び／又は少なくとも１つの流体出口通路（５）がそれぞれ少なくとも１つの管（９ａもしくは１２もしくは９ｂ）の形で構成されていることを特徴とする請求項１乃至９の１つに記載のポンプ。
【請求項１１】
ａ）ポンプ（２）のポンプ室（１１）を通流する流体（Ｆ）の噴流（ｓ）を発生するステップと、
ｂ）その流体噴流によってポンプ室（１１）内において及び／又はポンプ室（１１）内へガスを吸い込むステップと、
ｃ）その流体噴流によりポンプ室（１１）からガスを排出するステップと、
を有する請求項１乃至１０の１つに記載のポンプ（２）を運転するための方法。
【請求項１２】
ステップａ）乃至ｃ）がａ）乃至ｃ）の順序で同時に連続的に又は相次いで脈動的に行なわれることを特徴とする請求項１１記載の方法。
【請求項１３】
ベンチュリ効果を利用することを特徴とする請求項１１又は１２記載の方法。
【発明の詳細な説明】
【技術分野】
【０００１】
本発明は、流体によって１つの流れ方向（ｓ）に通流可能なポンプ室を有する高真空、特に超高真空を発生するためのウォータジェット型のポンプに関する。このポンプ室は、
ポンプ室内に突出しかつノズル開口で終端している流体用の少なくとも１つの第１の入口通路と、
流れ方向に見てノズル開口の向かい側に配置されている流体用の少なくとも１つの出口通路と、
ポンプ室に開口しかつ被真空空間に接続されるべき少なくとも１つの第２の入口通路と、
を含む。
【０００２】
更に、本発明は、このようなポンプを運転するための方法に関する。
【背景技術】
【０００３】
超高真空を発生させるために、ターボ分子モータ、クライオポンプ、ソープションポンプ、スライドベーンポンプ、容積型ポンプ及びジェットポンプが使用される。ジェットポンプとしては、ウォータジェットポンプ、又は液体としてオイルを基礎とするポンプが使用される。これらのポンプによっては、使用される液体の蒸気圧の範囲内にある真空圧力しか到達できない。従って、公知のウォータジェットポンプ及びオイルポンプは、低真空発生のための粗引きポンプとしてしか使用できず、特に超高真空の発生のためには、例えばターボ分子ポンプのような後段に置かれるポンプによって補足されなければならない。このようにして構成されるポンプシステムは、複雑で高価であり、メンテナンス費用がかかる。
【発明の概要】
【発明が解決しようとする課題】
【０００４】
本発明の課題は、超高真空範囲にまで及ぶ真空を発生することができる簡単に構成されるポンプを提供することにある。特に、磨耗なしに低コストにてポンプを運転することができ、かつ簡単な手段でできるだけ良好な超高真空を発生できるようにするために、できるだけ少ない部品を有し、とりわけ可動部品の少ない又は可動部品のないポンプを提供することを課題とする。更に、本発明の課題は、このようなポンプを運転するための簡単な方法を提供することにある。
【課題を解決するための手段】
【０００５】
上記課題は、ポンプに関しては請求項１の特徴事項により解決され、ポンプを運転するための方法に関しては請求項１１の特徴事項により解決される。
【０００６】
本発明によるポンプ及び方法の有利な実施形態は、それぞれに割り当てられた従属請求項からもたらされる。対等位にある請求項の特徴事項は、それぞれに割り当てられた従属請求項の特徴事項と組合せ可能であり、或いはとりわけ複数の割り当てられた従属請求項の特徴事項とも組合せ可能である。
【０００７】
高真空の発生、特に超高真空の発生のための本発明によるポンプは、ウォータジェットポンプもしくは相応タイプのポンプの如くに構成されている。このために、本発明によるポンプは、流体によって１つの流れ方向に通流可能な少なくとも１つのポンプ室を含む。このポンプ室は、ポンプ室内に突出しかつノズル開口において終端している流体用の少なくとも１つの第１の入口通路を有する。更に、このポンプ室は、流れ方向に見てノズル開口の向かい側に配置されている流体用の少なくとも１つの出口通路を有する。更に、このポンプ室は、ポンプ室に開口しかつ被真空空間に接続されるべき少なくとも１つの第２の入口通路を有する。本発明によれば、このようなポンプのために、流体としてイオン流体が設けられる。
【０００８】
本発明によるポンプの好ましい実施形態においては、第１の入口通路において予め定められた速度及び／又は予め定められた圧力でイオン流体を移送するための手段が設けられていて、これらの手段は、特に少なくとも１つの移送ポンプを含む。
【０００９】
このポンプが閉じられた流体循環路に接続されているか、又はこの流体循環路内に組み込まれていて、この流体循環路が、少なくとも１つの第１の流体入口通路において流体圧を発生させるための移送ポンプと、ガス排出のための逆止弁を有する貯蔵タンクとを含み、この貯蔵タンクが少なくとも１つの流体出口通路と移送ポンプとに接続されているとよい。
【００１０】
ポンプのために設けられるべきイオン流体が液体及び／又は液体−ガス混合物であるとよい。場合によっては流体として相応のガスを使用してもよい。
【００１１】
この場合に、このポンプにおいて、被真空空間の圧力が、使用されるイオン液体、特にイオン液体の蒸気圧に依存して調整可能であることが望ましい。
【００１２】
イオン流体としては、硫酸イオン、硫酸水素イオン、アルキル硫酸イオン、チオシアン酸イオン、リン酸イオン、ホウ酸イオン、テトラキスハイドロジェンスルファトボレートイオン又はケイ酸イオンを含有する流体が選ばれるとよい。
【００１３】
更に、超高真空室と少なくとも１つの入口通路との間でのガス交換もしくはガス搬出のために、少なくとも１つの第２の入口通路が超高真空室に接続されていることが好ましい。このガス交換によって、超高真空室において、１０-7〜１０-12ｍｂａｒの圧力範囲にある超高真空が発生可能である。
【００１４】
好ましい実施形態においては、超高真空室の圧力が、使用されるイオン液体、特にイオン液体の蒸気圧に依存する。
【００１５】
他の好ましい実施形態においては、少なくとも１つの第１の流体入口通路及び／又は少なくとも１つの第２の入口通路及び／又は少なくとも１つの流体出口通路がそれぞれ少なくとも１つの管の形で構成されている。
【００１６】
本発明によるポンプ運転方法は、このポンプのポンプ室を通流する流体噴流を発生するステップと、その流体噴流によってポンプ室内において及び／又はポンプ室内へガスを吸い込むステップと、その流体噴流によりポンプ室からガスを排出するステップとを含む。これらのステップが上述の順序で同時に連続的に又は相次いで脈動的に行なわれるとよい。
【００１７】
運転方法の好ましい実施形態においては、このポンプの相応の構成により、いわゆるベンチュリ効果が利用される。それによりポンプ室における流体の高い流速を達成し、それにより第２の入口通路における非常に高い負圧を達成することができ、その負圧によって、接続された被真空空間において、超高真空範囲にまで及ぶ相応の高真空をもたらすことができる。
【００１８】
全般的に本発明の基礎をなすのは次の着想である。即ち、特別に構成されたジェットポンプにおいて液体のようなイオン流体を使用することによって、かかる流体の低い蒸気圧により簡単に、確実に、磨耗なしに且つ安価に、多数のポンプシステムを必要とすることなしに良好な超高真空を発生させることができるという着想である。
【００１９】
本発明による運転方法については、本発明によるポンプに関連した前述の利点がもたらされる。
【図面の簡単な説明】
【００２０】
【図１】本発明に従って構成されたジェットポンプにより超高真空を発生させるための構成を示す非常に簡略化された図を示す。
【図２】ポンプ室の部分拡大図を示す。
【発明を実施するための形態】
【００２１】
以下において、図面の図１及び図２に基づいて、従属請求項の特徴事項による有利な発展的構成を有する本発明の実施形態を更に詳細に説明するが、しかし本発明はこれに限定されるものではない。
【００２２】
図１には、とりわけ超高真空ＨＶを発生させるためのシステム１の構成が示されている。システム１は、第１の流体入口通路３と第２の入口通路４と流体出口通路５とを有するポンプ２を含む。ポンプ２は閉じられた流体循環路９内に組み込まれていて、この流体循環路９は流体Ｆとしてイオン液体を使用する。ポンプはウォータジェットポンプの如き働きをするが、それの作動媒体は水ではなく、イオン液体又は相応の液体−ガス混合物である。
【００２３】
液体循環路９においては、流体Ｆの流れ方向がｓで示されている。流れ方向に関して、ポンプ２の前段に移送ポンプ６が接続されていて、この移送ポンプは、ポンプ２の手前における流体循環路９の少なくとも１つの管部材９ａにおいて高い流体圧力を発生する。そのようにして、高い流速及び／又は高い内部流体圧力を有する流体Ｆが、移送ポンプ６から配管系の管部材９ａを介してポンプ２に向けて送り出される。そこでは流体Ｆが第１の流体入口通路３を介してポンプ２のポンプ室１１の中に入る。このために、その入口通路の長さの一部は、ポンプ室内に突き出ていて、そこにおいてノズル開口３ａを有するノズルとして構成されている（図２参照）。ここで流体は強く加速される。この加速は、ノズルの相応の構成に基づいて、いわゆるベンチュリ効果に従って行なわれる。流体流速は、例えば１０倍乃至１００倍もしくは１０００倍にされる。この流体流速は音速まで可能である。流速は、ノズル直前の流体圧力と、第１の流体入口通路３の管直径に対するノズル直径の比に依存する。ノズルの開口３ａから高速にて流れ出る流体噴流は、例えばガス分子との衝突及びポンプ室内のガスにおける摩擦による渦巻とによって、ポンプ室１１内に存在するガスの一部を引き込む。流体の流れに引き込まれたガス分子は、ノズル開口３ａの向かい側にある流体出口通路５のところでポンプ室１１から流体Ｆと一緒に流れ出る。
【００２４】
ポンプ室１１から流体出口通路５を介して流れ出た流体Ｆは、配管系の管部材９ｂを介して貯蔵タンク７に導かれる。そこに流体Ｆが集められ、一緒に引き込まれたガス分子は流体から抜けて逆止弁８を介して周辺へ、又は他の貯蔵タンクへ放出される。集められた流体は、貯蔵タンク７から配管系の他の管部材９ｃにより移送ポンプ６に供給可能であり、それにより、配管系内に、閉じられた流体循環路９がもたらされる。
【００２５】
ポンプ２のポンプ室１１内では、流体Ｆに一緒に引き込まれて運び去られるガス分子が、ポンプ２のポンプ室１１の第２の入口通路４のところに負圧をもたらす。高真空室１０は、配管系１２、例えば特殊鋼配管を介して、ポンプ室１１の第２の入口通路４に接続されている。それにより、高真空室１０とポンプ室１１との間においてガス交換もしくはガス輸送が行なわれ得る。ポンプ室１１内で発生する負圧は、高真空室１０内の高いガス圧からポンプ室１１内の低いガス圧へ向けてガスを流れさせるガス流をもたらす。圧力均衡が生じたときにはじめて、即ち高真空室１０とポンプ室１１とに等しい圧力が存在するときにはじめて、超高真空室１０とポンプ室１１との間のガス交換がもはや行なわれなくなる。そのようにして、超高真空室１０とポンプ室１１との間のガス交換が、高真空室１０内の圧力低下をもたらす。即ち、高真空室１０からガスがポンプ室１１へ排出される。
【００２６】
上述の方法により高真空室１０内には、少なくとも使用される流体Ｆの蒸気圧にほぼ相当するガス圧もしくは当該圧力を有する真空を発生させることができる。本発明に従ってポンプ２の作動媒体としてイオン流体を使用することによって、高真空ガス圧を達成することができ、即ち１０-7〜１０-12ｍｂａｒの超高真空範囲にまで達する高真空室１０内の高真空を達成することができる。
【００２７】
本発明によるポンプに適したイオン流体は、例えば２０００年に発行された刊行物「“Ａｎｇｅｗａｎｄｔｅ  Ｃｈｅｍｉｅ”、１１２巻」の第３９２６〜３９４５頁から公知である。それによれば、一般に、このような流体として、低温において、特に１００℃以下の温度において非分子のイオン特性を有する溶融塩である液体が考慮される。本発明によるポンプにおいて使用するためのこのようなイオン液体の格別に有利な特性は、これらが、（通常の使用温度において）殆ど測定できない蒸気圧を持っていることにある。従って、被真空空間において、使用される液体の蒸気圧に相当する真空状態を達成することができる。このポンプの運転時には液体が殆ど気化されないので、吸い込まれたガスは容易にこの液体から分離することができる。
【００２８】
少なくとも主成分（即ち、５０体積％よりも多い成分）として、硫酸イオン、硫酸水素イオン、アルキル硫酸イオン、チオシアン酸イオン、リン酸イオン、ホウ酸イオン、テトラキスハイドロジェンスルファトボレートイオン又はケイ酸イオンを含む流体Ｆ（液状又は２相の液体−ガス混合物）が特に適している。
【符号の説明】
【００２９】
１                超高真空を発生させるシステム
２                ポンプ
３                第１の入口通路
３ａ              ノズル開口
４                第２の入口通路
５                出口通路
６                移送ポンプ
７                貯蔵タンク
８                逆止弁
９                流体循環路
９ａ，９ｂ，９ｃ  管部材
１０              高真空室
１１              ポンプ室
１２              配管システム
【図１】
2011527397.tif 000003
【図２】
2011527397.tif 000004
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
流体（Ｆ）によって１つの流れ方向（ｓ）に通流可能なポンプ室（１１）を有する、高真空、特に超高真空を発生させるためのウォータジェット型のポンプ（２）であって、前記ポンプ室（１１）が、
ポンプ室（１１）内に突出しかつノズル開口（３ａ）において終端している流体（Ｆ）用の少なくとも１つの第１の入口通路（３）と、
流れ方向（ｓ）に見てノズル開口（３ａ）の向かい側に配置されている流体（Ｆ）用の少なくとも１つの出口通路（５）と、
ポンプ室（１１）に開口しかつ被真空空間（１０）に接続されるべき少なくとも１つの第２の入口通路（４）と、を備え、
流体（Ｆ）としてイオン流体が使用されることを特徴とするポンプ。
【請求項２】
第１の入口通路（３）において予め定められた速度又は予め定められた圧力を有するイオン流体（Ｆ）を移送するための手段が設けられていることを特徴とする請求項１記載のポンプ。
【請求項３】
前記手段として少なくとも１つの移送ポンプ（６）が設けられていることを特徴とする請求項２記載のポンプ。
【請求項４】
ポンプ（２）が閉じられた流体循環路（９）に接続されていて、この流体循環路（９）が、少なくとも１つの第１の流体入口通路（３）内において流体圧を発生させるための移送ポンプ（６）と、ガス排出のための逆止弁（８）を有する貯蔵タンク（７）とを含み、貯蔵タンク（７）が少なくとも１つの流体出口通路（５）と移送ポンプ（６）とに接続されていることを特徴とする請求項３の記載のポンプ。
【請求項５】
イオン流体（Ｆ）が、液体、又は、液体−ガス混合物であることを特徴とする請求項１乃至４の１つに記載のポンプ。
【請求項６】
被真空空間（１０）の圧力が、使用されるイオン液体の蒸気圧に依存することを特徴とする請求項５記載のポンプ。
【請求項７】
イオン流体（Ｆ）が、硫酸イオン、硫酸水素イオン、アルキル硫酸イオン、チオシアン酸イオン、リン酸イオン、ホウ酸イオン、テトラキスハイドロジェンスルファトボレートイオン又はケイ酸イオンを含有することを特徴とする請求項１乃至６の１つに記載のポンプ。
【請求項８】
被真空空間（１０）が、少なくとも１つの入口通路（４）と超高真空室（１０）との間におけるガス交換のための超高真空室（１０）であることを特徴とする請求項１乃至７の１つに記載のポンプ。
【請求項９】
超高真空室（１０）において、１０-7〜１０-12ｍｂａｒの圧力範囲にある超高真空が発生可能であることを特徴とする請求項１乃至８の１つに記載のポンプ。
【請求項１０】
少なくとも１つの第１の流体入口通路（３）又は少なくとも１つの第２の入口通路（４）又は少なくとも１つの流体出口通路（５）がそれぞれ少なくとも１つの管（９ａもしくは１２もしくは９ｂ）の形で構成されていることを特徴とする請求項１乃至９の１つに記載のポンプ。
【請求項１１】
ａ）ポンプ（２）のポンプ室（１１）を通流する流体（Ｆ）の噴流（ｓ）を発生するステップと、ｂ）その流体噴流によってポンプ室（１１）内において又はポンプ室（１１）内へガスを吸い込むステップと、ｃ）その流体噴流によりポンプ室（１１）からガスを排出するステップと、を有する請求項１乃至１０の１つに記載のポンプ（２）を運転するための方法。
【請求項１２】
ステップａ）乃至ｃ）がａ）乃至ｃ）の順序で同時に連続的に又は相次いで脈動的に行なわれることを特徴とする請求項１１記載の方法。
【請求項１３】
ベンチュリ効果を利用することを特徴とする請求項１１又は１２記載の方法。
【国際調査報告】
2011527397.tif 000005
2011527397.tif 000006
2011527397.tif 000007
2011527397.tif 000008
2011527397.tif 000009
2011527397.tif 000010